(57)【要約】【課題】配管内の剥離した内層フィルムを容易に除去することができる、配管内の剥離フィルム除去装置を提供する。【解決手段】剥離フィルム除去装置６０は、回転駆動手段６１と、配管内の剥離フィルムに回転しながら接触することにより該剥離フィルムを巻き取るフィルム巻取手段６２と、一端が回転駆動手段６１に接続され、他端がフィルム巻取手段６２に接続された回転軸６３とを備え、回転駆動手段６１を駆動させることにより回転軸６３を介してフィルム巻取手段６２が回転することを特徴とする。【選択図】図１
2012237361.tif 000002
【特許請求の範囲】
【請求項１】
回転駆動手段と、
配管内の剥離フィルムに回転しながら接触することにより該剥離フィルムを巻き取るフィルム巻取手段と、
一端が前記回転駆動手段に接続され、他端が前記フィルム巻取手段に接続された回転軸とを備え、
前記回転駆動手段を駆動させることにより前記回転軸を介して前記フィルム巻取手段が回転することを特徴とする配管内の剥離フィルム除去装置。
【請求項２】
回転駆動手段と、
配管内の剥離フィルムに回転しながら接触することにより該剥離フィルムを巻き取るフィルム巻取手段と、
一端が前記回転駆動手段に接続され、他端が前記フィルム巻取手段に接続された回転軸と、
長尺の牽引案内手段とを備え、
前記フィルム巻取手段は、前記牽引案内手段に連結するための連結部を有し、
前記回転駆動手段を駆動させることにより前記回転軸を介して前記フィルム巻取手段が回転することを特徴とする配管内の剥離フィルム除去装置。
【請求項３】
前記フィルム巻取手段と前記牽引案内手段とを互いに自由に回転できる態様で連結するより戻し手段を更に備える請求項２に記載の配管内の剥離フィルム除去装置。
【請求項４】
前記連結部は、前記フィルム巻取手段の先端側に設けられた連結用孔である請求項２または３に記載の配管内の剥離フィルム除去装置。
【請求項５】
前記牽引案内手段がワイヤーである請求項２〜４のいずれか１項に記載の配管内の剥離フィルム除去装置。
【請求項６】
前記フィルム巻取手段は、先端部の左右両側に、基端側から先端側に向けて内方に傾斜するテーパー側面が形成された略板状体を備えている請求項１〜５のいずれか１項に記載の配管内の剥離フィルム除去装置。
【請求項７】
回転駆動手段と、配管内の剥離フィルムに回転しながら接触することにより該剥離フィルムを巻き取るフィルム巻取手段と、一端が前記回転駆動手段に接続され、他端が前記フィルム巻取手段に接続された回転軸と、長尺の牽引案内手段とを備え、前記フィルム巻取手段は前記牽引案内手段に連結するための連結部を有してなる剥離フィルム除去装置を用いて、配管内の剥離フィルムを除去する方法であって、
前記配管の内部空間に該配管の一端側から他端側にかけて前記牽引案内手段を挿通配置する工程と、
前記牽引案内手段の一端部をフィルム巻取手段の連結部に連結する工程と、
前記牽引案内手段の他端部を前記配管から離れる方向に牽引することにより、前記配管内に前記フィルム巻取手段を挿通前進させる前進工程と、
前記配管内に前記フィルム巻取手段を挿通前進させている際に前記牽引案内手段を牽引するのに抵抗を感じた時にその位置で前記牽引を停止する停止工程と、
前記回転駆動手段を駆動させて前記回転軸を介して前記フィルム巻取手段を回転させることによって、該巻取手段に、前記配管内の剥離フィルムの一部を巻き付ける巻付工程と、
前記回転軸を前記配管から離れる方向に後退させることにより、前記配管内において、前記フィルム巻取手段に巻き付けた剥離フィルムを切断分離した後、前記配管の外部において、該フィルム巻取手段から剥離フィルムを除去する分離除去工程とを包含し、
前記前進工程、前記停止工程、前記巻付工程、前記分離除去工程からなる単位操作をさらに１ないし複数回繰り返し行うことによって、前記配管内の剥離フィルムを除去することを特徴とする配管内の剥離フィルム除去方法。
【請求項８】
回転駆動手段と、配管内の剥離フィルムに回転しながら接触することにより該剥離フィルムを巻き取るフィルム巻取手段と、一端が前記回転駆動手段に接続され、他端が前記フィルム巻取手段に接続された回転軸と、を備えてなる剥離フィルム除去装置を用いて、配管内の剥離フィルムを除去する方法であって、
前記回転軸を前記配管に近づく方向に前進させることにより、前記配管内に前記フィルム巻取手段を挿通前進させる前進工程と、
前記配管内に前記フィルム巻取手段を挿通前進させている際に前記回転軸を前進させるのに抵抗を感じた時にその位置で前記回転軸の前進を停止する停止工程と、
前記回転駆動手段を駆動させて前記回転軸を介して前記フィルム巻取手段を回転させることによって、該巻取手段に、前記配管内の剥離フィルムの一部を巻き付ける巻付工程と、
前記回転軸を前記配管から離れる方向に後退させることにより、前記配管内において、前記フィルム巻取手段に巻き付けた剥離フィルムを切断分離した後、前記配管の外部において、該フィルム巻取手段から剥離フィルムを除去する分離除去工程とを包含し、
前記前進工程、前記停止工程、前記巻付工程、前記分離除去工程からなる単位操作をさらに１ないし複数回繰り返し行うことによって、前記配管内の剥離フィルムを除去することを特徴とする配管内の剥離フィルム除去方法。
【請求項９】
回転駆動手段と、既設配管内の剥離フィルムに回転しながら接触することにより該剥離フィルムを巻き取るフィルム巻取手段と、一端が前記回転駆動手段に接続され、他端が前記フィルム巻取手段に接続された回転軸と、前記フィルム巻取手段に連結された長尺の第１牽引案内手段とを備えてなる剥離フィルム除去装置を用いて、既設配管内の剥離フィルムを除去した後に、
長尺の第２牽引案内手段と、設置対象の新配管の外径と同一の又は該新配管の外径より小さい外径を有した円筒状のスリーブと、一端側に前記新配管の端部の内部空間に挿入嵌合される挿嵌部を有すると共に他端側に前記第２牽引案内手段に連結するための連結部を有した連結手段と、を備えてなる配管牽引用治具を用いて、前記新配管を前記既設配管内に配設する方法であって、
前記既設配管の内部空間に該配管の一端側から他端側にかけて前記第１牽引案内手段を挿通配置する工程と、
前記第１牽引案内手段の一端部をフィルム巻取手段の連結部に連結する工程と、
前記第１牽引案内手段の他端部を前記既設配管から離れる方向に牽引することにより、前記既設配管内に前記フィルム巻取手段を挿通前進させる前進工程と、
前記既設配管内に前記フィルム巻取手段を挿通前進させている際に前記第１牽引案内手段を牽引するのに抵抗を感じた時にその位置で前記牽引を停止する停止工程と、
前記回転駆動手段を駆動させて前記回転軸を介して前記フィルム巻取手段を回転させることによって、該巻取手段に、前記既設配管内の剥離フィルムの一部を巻き付ける巻付工程と、
前記回転軸を前記既設配管から離れる方向に後退させることにより、前記既設配管内において、前記フィルム巻取手段に巻き付けた剥離フィルムを切断分離した後、前記既設配管の外部において、該フィルム巻取手段から剥離フィルムを除去する分離除去工程と、
前記前進工程、前記停止工程、前記巻付工程、前記分離除去工程からなる単位操作をさらに１ないし複数回繰り返し行うことによって、前記既設配管内の剥離フィルムを除去する工程と、
前記新配管の一端部に該新配管の略軸線方向に沿って切り込みを形成した後、該新配管の一端部の外径を縮径させ、この縮径状態にある一端部の外周面に、前記スリーブを外嵌する工程と、
前記新配管におけるスリーブが外嵌された一端部の内部空間に前記連結手段の挿嵌部を挿入嵌合する工程と、
前記既設配管の内部空間に該既設配管の一端側から他端側にかけて前記第２牽引案内手段を挿通配置する工程と、
前記第２牽引案内手段の一端部を前記連結手段の連結部に連結する工程と、
前記第２牽引案内手段の他端部を牽引することによって、前記既設配管の内部空間に前記新配管を挿通配置する工程と、を含むことを特徴とする新配管を既設配管内に配設する方法。
【請求項１０】
回転駆動手段と、既設配管内の剥離フィルムに回転しながら接触することにより該剥離フィルムを巻き取るフィルム巻取手段と、一端が前記回転駆動手段に接続され、他端が前記フィルム巻取手段に接続された回転軸とを備えてなる剥離フィルム除去装置を用いて、既設配管内の剥離フィルムを除去した後に、
長尺の牽引案内手段と、設置対象の新配管の外径と同一の又は該新配管の外径より小さい外径を有した円筒状のスリーブと、一端側に前記新配管の端部の内部空間に挿入嵌合される挿嵌部を有すると共に他端側に前記牽引案内手段に連結するための連結部を有した連結手段と、を備えてなる配管牽引用治具を用いて、前記新配管を前記既設配管内に配設する方法であって、
前記回転軸を前記既設配管に近づく方向に前進させることにより、前記既設配管内に前記フィルム巻取手段を挿通前進させる前進工程と、
前記既設配管内に前記フィルム巻取手段を挿通前進させている際に前記回転軸を前進させるのに抵抗を感じた時にその位置で前記回転軸の前進を停止する停止工程と、
前記回転駆動手段を駆動させて前記回転軸を介して前記フィルム巻取手段を回転させることによって、該巻取手段に、前記既設配管内の剥離フィルムの一部を巻き付ける巻付工程と、
前記回転軸を前記既設配管から離れる方向に後退させることにより、前記既設配管内において、前記フィルム巻取手段に巻き付けた剥離フィルムを切断分離した後、前記既設配管の外部において、該フィルム巻取手段から剥離フィルムを除去する分離除去工程と、
前記前進工程、前記停止工程、前記巻付工程、前記分離除去工程からなる単位操作をさらに１ないし複数回繰り返し行うことによって、前記既設配管内の剥離フィルムを除去する工程と、
前記新配管の一端部に該新配管の略軸線方向に沿って切り込みを形成した後、該新配管の一端部の外径を縮径させ、この縮径状態にある一端部の外周面に、前記スリーブを外嵌する工程と、
前記新配管におけるスリーブが外嵌された一端部の内部空間に前記連結手段の挿嵌部を挿入嵌合する工程と、
前記既設配管の内部空間に該既設配管の一端側から他端側にかけて前記牽引案内手段を挿通配置する工程と、
前記牽引案内手段の一端部を前記連結手段の連結部に連結する工程と、
前記牽引案内手段の他端部を牽引することによって、前記既設配管の内部空間に前記新配管を挿通配置する工程と、を含むことを特徴とする新配管を既設配管内に配設する方法。
【発明の詳細な説明】
【技術分野】
【０００１】
本発明は、配管内の剥離フィルムを除去するのに用いられる剥離フィルム除去装置及び該装置を用いて配管内の剥離フィルムを除去する剥離フィルム除去方法に関する。
【背景技術】
【０００２】
例えば浴槽等に湯水を供給するための配管設備としては、サヤ管と呼ばれる保護管の中に、湯水供給用の配管を挿通配置せしめた構成のものが知られている。配管が経年により劣化等した場合には、保護管内の経年配管を新しい配管に交換する（保護管内から経年配管を引き抜いた後に該保護管内に新しい配管を挿通配置する）。
【０００３】
既設保護管内に新しい配管を挿通配置する方法としては、コネクターの一面側のインナーコア部（外周面にスクリューねじが刻設されている）に湯水供給用パイプを外嵌すると共に該コネクターの他面側の凸部に案内用パイプ（既設保護管内に挿通された状態の案内用パイプ）の一端部を装着し、コネクターのインナーコア部の先端部から案内用パイプの先端部（他端部）まで貫通させた芯線によりコネクターと案内用パイプとを連結させることによって、湯水供給用パイプに案内用パイプを連結せしめ、次いで案内用パイプの他端部を牽引することによって新しい湯水供給用パイプを既設保護管内に引き込んで挿通配置する方法が知られている（特許文献１参照）。
【先行技術文献】
【特許文献】
【０００４】
【特許文献１】特許第３４２４０５１号公報
【発明の概要】
【発明が解決しようとする課題】
【０００５】
ところで、浴槽等に湯水を供給するための配管設備としては、保護管を使用することなく供給用配管をそのまま地面下や床下に配設している場合がある（即ち保護管の中に供給用配管が挿通配置された２重管構造を採用していない場合がある）。また、前記２重管構造を採用していても、経年により供給用配管を交換する際に該配管の硬化や膨張変形等により、保護管内から経年配管を引き抜く（取り出す）ことができないことがある。
【０００６】
従来は、上記いずれの場合も、新しい配管を設置するためには、地面を掘り起こして経年配管を除去して新配管を配設したり、床を剥がして床下の経年配管を除去して新配管を配設しなければならず、非常に大掛かりな工事を要して工期が長くなる上に高コストであるという問題があった。
【０００７】
そこで、本発明者は、地面下や床下等を掘り起こして新たに再施工をするのではなく、経年配管の内部に新しい配管を挿通配置する手法を着想した。このような着想に基づいて、経年既設配管の内部に新しい配管を挿通配置することを試みたところ、ワイヤーで牽引して挿通している新配管が経年既設配管内の途中で止まってしまいそれ以上挿通前進できなくなるという問題を生じることがわかった。
【０００８】
新配管の経年既設配管内への挿通が途中で停止する原因を調べたところ、通常、配管の内面には水密性を維持するための内層フィルムが積層されているが、該内層フィルムが経年により既設配管の内面から部分的に剥離しており、このように既設配管の内部に存在する剥離した内層フィルムが、経年既設配管内への新配管の挿通移動を妨げていることがわかった。
【０００９】
本発明は、かかる技術的背景に鑑みてなされたものであって、配管内の剥離内層フィルムを容易に除去することができる、配管内の剥離フィルム除去装置及び除去方法を提供することを目的とする。
【課題を解決するための手段】
【００１０】
前記目的を達成するために、本発明は以下の手段を提供する。
【００１１】
［１］回転駆動手段と、
配管内の剥離フィルムに回転しながら接触することにより該剥離フィルムを巻き取るフィルム巻取手段と、
一端が前記回転駆動手段に接続され、他端が前記フィルム巻取手段に接続された回転軸とを備え、
前記回転駆動手段を駆動させることにより前記回転軸を介して前記フィルム巻取手段が回転することを特徴とする配管内の剥離フィルム除去装置。
【００１２】
［２］回転駆動手段と、
配管内の剥離フィルムに回転しながら接触することにより該剥離フィルムを巻き取るフィルム巻取手段と、
一端が前記回転駆動手段に接続され、他端が前記フィルム巻取手段に接続された回転軸と、
長尺の牽引案内手段とを備え、
前記フィルム巻取手段は、前記牽引案内手段に連結するための連結部を有し、
前記回転駆動手段を駆動させることにより前記回転軸を介して前記フィルム巻取手段が回転することを特徴とする配管内の剥離フィルム除去装置。
【００１３】
［３］前記フィルム巻取手段と前記牽引案内手段とを互いに自由に回転できる態様で連結するより戻し手段を更に備える前項２に記載の配管内の剥離フィルム除去装置。
【００１４】
［４］前記連結部は、前記フィルム巻取手段の先端側に設けられた連結用孔である前項２または３に記載の配管内の剥離フィルム除去装置。
【００１５】
［５］前記牽引案内手段がワイヤーである前項２〜４のいずれか１項に記載の配管内の剥離フィルム除去装置。
【００１６】
［６］前記フィルム巻取手段は、先端部の左右両側に、基端側から先端側に向けて内方に傾斜するテーパー側面が形成された略板状体を備えている前項１〜５のいずれか１項に記載の配管内の剥離フィルム除去装置。
【００１７】
［７］回転駆動手段と、配管内の剥離フィルムに回転しながら接触することにより該剥離フィルムを巻き取るフィルム巻取手段と、一端が前記回転駆動手段に接続され、他端が前記フィルム巻取手段に接続された回転軸と、長尺の牽引案内手段とを備え、前記フィルム巻取手段は前記牽引案内手段に連結するための連結部を有してなる剥離フィルム除去装置を用いて、配管内の剥離フィルムを除去する方法であって、
前記配管の内部空間に該配管の一端側から他端側にかけて前記牽引案内手段を挿通配置する工程（牽引案内手段挿通工程）と、
前記牽引案内手段の一端部をフィルム巻取手段の連結部に連結する工程（連結工程）と、
前記牽引案内手段の他端部を前記配管から離れる方向に牽引することにより、前記配管内に前記フィルム巻取手段を挿通前進させる前進工程と、
前記配管内に前記フィルム巻取手段を挿通前進させている際に前記牽引案内手段を牽引するのに抵抗を感じた時にその位置で前記牽引を停止する停止工程と、
前記回転駆動手段を駆動させて前記回転軸を介して前記フィルム巻取手段を回転させることによって、該巻取手段に、前記配管内の剥離フィルムの一部を巻き付ける巻付工程と、
前記回転軸を前記配管から離れる方向に後退させることにより、前記配管内において、前記フィルム巻取手段に巻き付けた剥離フィルムを切断分離した後、前記配管の外部において、該フィルム巻取手段から剥離フィルムを除去する分離除去工程とを包含し、
前記前進工程、前記停止工程、前記巻付工程、前記分離除去工程からなる単位操作をさらに１ないし複数回繰り返し行うことによって、前記配管内の剥離フィルムを除去することを特徴とする配管内の剥離フィルム除去方法。
【００１８】
［８］回転駆動手段と、配管内の剥離フィルムに回転しながら接触することにより該剥離フィルムを巻き取るフィルム巻取手段と、一端が前記回転駆動手段に接続され、他端が前記フィルム巻取手段に接続された回転軸と、を備えてなる剥離フィルム除去装置を用いて、配管内の剥離フィルムを除去する方法であって、
前記回転軸を前記配管に近づく方向に前進させることにより、前記配管内に前記フィルム巻取手段を挿通前進させる前進工程と、
前記配管内に前記フィルム巻取手段を挿通前進させている際に前記回転軸を前進させるのに抵抗を感じた時にその位置で前記回転軸の前進を停止する停止工程と、
前記回転駆動手段を駆動させて前記回転軸を介して前記フィルム巻取手段を回転させることによって、該巻取手段に、前記配管内の剥離フィルムの一部を巻き付ける巻付工程と、
前記回転軸を前記配管から離れる方向に後退させることにより、前記配管内において、前記フィルム巻取手段に巻き付けた剥離フィルムを切断分離した後、前記配管の外部において、該フィルム巻取手段から剥離フィルムを除去する分離除去工程とを包含し、
前記前進工程、前記停止工程、前記巻付工程、前記分離除去工程からなる単位操作をさらに１ないし複数回繰り返し行うことによって、前記配管内の剥離フィルムを除去することを特徴とする配管内の剥離フィルム除去方法。
【００１９】
［９］回転駆動手段と、既設配管内の剥離フィルムに回転しながら接触することにより該剥離フィルムを巻き取るフィルム巻取手段と、一端が前記回転駆動手段に接続され、他端が前記フィルム巻取手段に接続された回転軸と、前記フィルム巻取手段に連結された長尺の第１牽引案内手段とを備えてなる剥離フィルム除去装置を用いて、既設配管内の剥離フィルムを除去した後に、
長尺の第２牽引案内手段と、設置対象の新配管の外径と同一の又は該新配管の外径より小さい外径を有した円筒状のスリーブと、一端側に前記新配管の端部の内部空間に挿入嵌合される挿嵌部を有すると共に他端側に前記第２牽引案内手段に連結するための連結部を有した連結手段と、を備えてなる配管牽引用治具を用いて、前記新配管を前記既設配管内に配設する方法であって、
前記既設配管の内部空間に該配管の一端側から他端側にかけて前記第１牽引案内手段を挿通配置する工程と、
前記第１牽引案内手段の一端部をフィルム巻取手段の連結部に連結する工程と、
前記第１牽引案内手段の他端部を前記既設配管から離れる方向に牽引することにより、前記既設配管内に前記フィルム巻取手段を挿通前進させる前進工程と、
前記既設配管内に前記フィルム巻取手段を挿通前進させている際に前記第１牽引案内手段を牽引するのに抵抗を感じた時にその位置で前記牽引を停止する停止工程と、
前記回転駆動手段を駆動させて前記回転軸を介して前記フィルム巻取手段を回転させることによって、該巻取手段に、前記既設配管内の剥離フィルムの一部を巻き付ける巻付工程と、
前記回転軸を前記既設配管から離れる方向に後退させることにより、前記既設配管内において、前記フィルム巻取手段に巻き付けた剥離フィルムを切断分離した後、前記既設配管の外部において、該フィルム巻取手段から剥離フィルムを除去する分離除去工程と、
前記前進工程、前記停止工程、前記巻付工程、前記分離除去工程からなる単位操作をさらに１ないし複数回繰り返し行うことによって、前記既設配管内の剥離フィルムを除去する工程と、
前記新配管の一端部に該新配管の略軸線方向に沿って切り込みを形成した後、該新配管の一端部の外径を縮径させ、この縮径状態にある一端部の外周面に、前記スリーブを外嵌する工程と、
前記新配管におけるスリーブが外嵌された一端部の内部空間に前記連結手段の挿嵌部を挿入嵌合する工程と、
前記既設配管の内部空間に該既設配管の一端側から他端側にかけて前記第２牽引案内手段を挿通配置する工程と、
前記第２牽引案内手段の一端部を前記連結手段の連結部に連結する工程と、
前記第２牽引案内手段の他端部を牽引することによって、前記既設配管の内部空間に前記新配管を挿通配置する工程と、を含むことを特徴とする新配管を既設配管内に配設する方法。
【００２０】
［１０］回転駆動手段と、既設配管内の剥離フィルムに回転しながら接触することにより該剥離フィルムを巻き取るフィルム巻取手段と、一端が前記回転駆動手段に接続され、他端が前記フィルム巻取手段に接続された回転軸とを備えてなる剥離フィルム除去装置を用いて、既設配管内の剥離フィルムを除去した後に、
長尺の牽引案内手段と、設置対象の新配管の外径と同一の又は該新配管の外径より小さい外径を有した円筒状のスリーブと、一端側に前記新配管の端部の内部空間に挿入嵌合される挿嵌部を有すると共に他端側に前記牽引案内手段に連結するための連結部を有した連結手段と、を備えてなる配管牽引用治具を用いて、前記新配管を前記既設配管内に配設する方法であって、
前記回転軸を前記既設配管に近づく方向に前進させることにより、前記既設配管内に前記フィルム巻取手段を挿通前進させる前進工程と、
前記既設配管内に前記フィルム巻取手段を挿通前進させている際に前記回転軸を前進させるのに抵抗を感じた時にその位置で前記回転軸の前進を停止する停止工程と、
前記回転駆動手段を駆動させて前記回転軸を介して前記フィルム巻取手段を回転させることによって、該巻取手段に、前記既設配管内の剥離フィルムの一部を巻き付ける巻付工程と、
前記回転軸を前記既設配管から離れる方向に後退させることにより、前記既設配管内において、前記フィルム巻取手段に巻き付けた剥離フィルムを切断分離した後、前記既設配管の外部において、該フィルム巻取手段から剥離フィルムを除去する分離除去工程と、
前記前進工程、前記停止工程、前記巻付工程、前記分離除去工程からなる単位操作をさらに１ないし複数回繰り返し行うことによって、前記既設配管内の剥離フィルムを除去する工程と、
前記新配管の一端部に該新配管の略軸線方向に沿って切り込みを形成した後、該新配管の一端部の外径を縮径させ、この縮径状態にある一端部の外周面に、前記スリーブを外嵌する工程と、
前記新配管におけるスリーブが外嵌された一端部の内部空間に前記連結手段の挿嵌部を挿入嵌合する工程と、
前記既設配管の内部空間に該既設配管の一端側から他端側にかけて前記牽引案内手段を挿通配置する工程と、
前記牽引案内手段の一端部を前記連結手段の連結部に連結する工程と、
前記牽引案内手段の他端部を牽引することによって、前記既設配管の内部空間に前記新配管を挿通配置する工程と、を含むことを特徴とする新配管を既設配管内に配設する方法。
【発明の効果】
【００２１】
［１］の発明では、配管内にフィルム巻取手段を挿通前進させると共に回転駆動手段を駆動させて回転軸を介してフィルム巻取手段を回転させることにより該巻取手段に配管内の剥離フィルムの一部を巻き付けることができ、しかる後、回転軸を配管から離れる方向に後退させることにより剥離フィルムを切断分離して剥離フィルムを除去することができる。
【００２２】
［２］の発明では、フィルム巻取手段の連結部に牽引案内手段を連結して牽引することにより、配管内にフィルム巻取手段を挿通前進させることができると共に、回転駆動手段を駆動させて回転軸を介してフィルム巻取手段を回転させることにより該巻取手段に配管内の剥離フィルムの一部を巻き付けることができ、しかる後、回転軸を配管から離れる方向に後退させることにより剥離フィルムを切断分離して剥離フィルムを除去することができる。
【００２３】
［３］の発明では、フィルム巻取手段と牽引案内手段とをより戻し手段で連結することにより、フィルム巻取手段と牽引案内手段とを互いに自由に回転できる態様で連結できるので、フィルム巻取手段を回転させて該巻取手段に剥離フィルムを巻き付ける操作を行っても、配管内で牽引案内手段が回転、ねじれ等を生じて支障を来すことを十分に防止できる。
【００２４】
［４］の発明では、フィルム巻取手段の先端側に設けられた連結用孔で連結部が構成されているから、このフィルム巻取手段と牽引案内手段との連結力を向上させることができる。
【００２５】
［５］の発明では、牽引案内手段としてワイヤーが用いられているから、配管に曲がり部や狭小部が存在する場合であっても、配管内にフィルム巻取手段をよりスムーズに引き込むことができる。
【００２６】
［６］の発明では、フィルム巻取手段は、先端部の左右両側に、基端側から先端側に向けて内方に傾斜するテーパー側面が形成された略板状体を備えているから、フィルム巻取手段を、配管内の剥離フィルムの内側に容易に挿通することができると共に、フィルム巻取手段による剥離フィルムの巻き取り性能も向上させることができる。
【００２７】
［７］及び［８］の発明に係る、配管内の剥離フィルム除去方法によれば、前進工程、停止工程、前記工程、分離除去工程からなる単位操作を繰り返し行うことによって、配管内の剥離フィルムを容易にかつ十分に除去することができる。
【００２８】
なお、［７］の発明において、牽引案内手段挿通工程と連結工程の互いの実施の前後関係は、特に限定されず、牽引案内手段挿通工程を実施した後に連結工程を実施してもよいし、連結工程を実施した後に牽引案内手段挿通工程を実施してもよい。
【００２９】
［９］の発明に係る、新配管を既設配管内に配設する方法によれば、前半の既設配管内の剥離フィルム除去手法により前進工程、停止工程、前記工程、分離除去工程からなる単位操作を繰り返し行うことによって、既設配管内の剥離フィルムを容易にかつ十分に除去することができる。
【００３０】
次に、新配管の一端部に該新配管の略軸線方向に沿って切り込みを形成した後、該新配管の一端部の外径を縮径させ、この縮径状態にある一端部の外周面に、新配管の外径と同一の又は該新配管の外径より小さい外径を有した円筒状のスリーブを外嵌し、次いで新配管におけるスリーブが外嵌された一端部の内部空間に連結手段の挿嵌部を挿入嵌合して連結するので、新配管が径大に変形膨張することを防止できると共に新配管と連結手段とを強固に連結できる（配管牽引中に新配管から連結手段が離脱しない）。従って、既設配管内に挿通配置した第２牽引案内手段の一端部を連結手段の連結部に連結した状態で該第２牽引案内手段の他端部を牽引することによって、既設配管内に新配管をスムーズに挿通配置することができる。
【００３１】
なお、［９］の発明において、剥離フィルム除去装置の第１牽引案内手段と、配管牽引用治具の第２牽引案内手段としては、同一のもの（１つの部材）を共用するようにしてもよいし、それぞれ別体のもの（同一構造であってもよいし異なる構造であってもよい）を用いるようにしてもよい。
【００３２】
［１０］の発明に係る、新配管を既設配管内に配設する方法によれば、前半の既設配管内の剥離フィルム除去手法により前進工程、停止工程、前記工程、分離除去工程からなる単位操作を繰り返し行うことによって、既設配管内の剥離フィルムを容易にかつ十分に除去することができる。
【００３３】
次に、新配管の一端部に該新配管の略軸線方向に沿って切り込みを形成した後、該新配管の一端部の外径を縮径させ、この縮径状態にある一端部の外周面に、新配管の外径と同一の又は該新配管の外径より小さい外径を有した円筒状のスリーブを外嵌し、次いで新配管におけるスリーブが外嵌された一端部の内部空間に連結手段の挿嵌部を挿入嵌合して連結するので、新配管が径大に変形膨張することを防止できると共に新配管と連結手段とを強固に連結できる（配管牽引中に新配管から連結手段が離脱しない）。従って、既設配管内に挿通配置した牽引案内手段の一端部を連結手段の連結部に連結した状態で該牽引案内手段の他端部を牽引することによって、既設配管内に新配管をスムーズに挿通配置することができる。
【図面の簡単な説明】
【００３４】
【図１】本発明に係る剥離フィルム除去装置の一実施形態を示す斜視図である。
【図２】回転軸に接続されたフィルム巻取手段を示す図であって、（ａ）は側面図、（ｂ）は上面図である。
【図３】フィルム巻取手段と牽引案内手段との連結態様の一例を示す側面図である。
【図４】内部に剥離フィルムが存在する既設配管の断面図である。
【図５】（ａ）は既設配管の内部に牽引案内手段を挿通配置した状態を示す断面図、（ｂ）は牽引案内手段の一端部にフィルム巻取手段を連結した状態を示す断面図、（ｃ）は牽引案内手段を牽引して既設配管内にフィルム巻取手段を挿通前進させている状態を示す断面図、（ｄ）は挿通前進中に牽引案内手段を牽引するのに抵抗を感じて牽引を停止した状態を示す断面図である。
【図６】（ａ）はフィルム巻取手段を回転させて該巻取手段に既設配管内の剥離フィルムの一部を巻き付けた状態を示す断面図、（ｂ）は回転軸を既設配管から後退させることによりフィルム巻取手段に巻き付けた剥離フィルムを切断分離した状態を示す断面図、（ｃ）はフィルム巻取手段から剥離フィルムを除去した後の状態を示す断面図である。
【図７】配管牽引用治具の構成部材を示す図であって、（ａ）は連結手段の一実施形態を示す斜視図、（ｂ）はスリーブの一実施形態を示す斜視図である。
【図８】配管牽引用治具の構成部材である牽引案内手段の一実施形態を示す斜視図である。
【図９】（ａ）は新配管の一端部に切り込みを形成した状態を示す側面図、（ｂ）は該新配管の一端部を縮径させた状態を示す側面図、（ｃ）新配管における縮径状態の端部にスリーブを外嵌した状態を示す側面図、（ｄ）は（ｃ）におけるＸ−Ｘ線の断面を拡大して示す断面図である。
【図１０】（ａ）は新配管におけるスリーブが外嵌された一端部内に連結手段の挿嵌部を挿入嵌合している途中状態を示す側面図、（ｂ）は挿入嵌合して新配管に連結手段を連結した状態を示す側面図、（ｃ）は新配管に連結された連結手段の連結部に牽引案内手段の一端部を連結した状態を示す側面図である。
【図１１】（ａ）は連結手段の他の実施形態を示す側面図、（ｂ）は該連結手段の挿嵌部を、新配管におけるスリーブが外嵌された一端部内に挿入嵌合した状態を示す側面図である。
【図１２】連結手段のさらに他の実施形態を示す側面図である。
【発明を実施するための形態】
【００３５】
本発明に係る剥離フィルム除去装置６０の一実施形態を図１に示す。本発明の剥離フィルム除去装置６０は、回転駆動手段６１と、フィルム巻取手段６２と、長尺の回転軸６３と、長尺の牽引案内手段６４と、を備える（図１参照）。
【００３６】
前記回転駆動手段６１に長尺の回転軸６３の一端が接続されており（図１参照）、前記回転駆動手段６１を駆動させることによって前記回転軸６３を回転させることができる。前記回転軸６３は可撓性を有している。
【００３７】
前記回転軸６３の他端にフィルム巻取手段６２が接続されている（図１参照）。前記フィルム巻取手段６２は、図２に示すように、略円柱形状の基部６７と、該基部６７の先端側に連接された略板状体６６とを備えている。前記基部６７の基端側（回転軸側）には雄ねじ部（図示しない）が突設されており、該雄ねじ部が、前記回転軸６３の他端（先端）に接合されたナット６８の螺合孔に螺合されることによって、前記回転軸６３の他端（先端）にフィルム巻取手段６２が接続されている（図２参照）。しかして、回転駆動手段６１を駆動させることによって回転軸６３（の回転）を介してフィルム巻取手段６２を回転させることができる。このフィルム巻取手段６２が、既設配管９１内の剥離フィルム９２に回転しながら接触することにより、該剥離フィルム９２をフィルム巻取手段６２に巻き取ることができる。
【００３８】
前記略板状体６６は、その先端部の左右両側に、基端側から先端側に向けて内方に傾斜するテーパー側面６６ａ、６６ｂが形成されている。前記略板状体６６の先端側に連結用孔（連結部）６６ｃが設けられている。即ち、前記フィルム巻取手段６２の先端側に連結用孔（連結部）６６ｃが形成されている（図２参照）。前記連結部６６ｃは、該フィルム巻取手段６２に前記牽引案内手段６４を連結するのに用いられる。
【００３９】
前記牽引案内手段６４としては、既設配管９１内に容易に挿通できる可撓性の細線体であれば特に限定されず、例えば金属ワイヤー等のワイヤーを例示できる。本実施形態では、前記牽引案内手段６４として、金属ワイヤーが用いられている（図１参照）。前記金属ワイヤーは、樹脂製の被覆材で被覆されていてもよいし、被覆材で被覆されていない構成であってもよい。
【００４０】
前記牽引案内手段６４の一端部に、連結用孔を有した連結部７０が形成されている（図１参照）。この連結部７０は、前記フィルム巻取手段６２と連結するのに用いられる。
【００４１】
本実施形態では、剥離フィルム除去装置６０は、更に、より戻し手段（猿環）６５を備えている。前記より戻し手段６５は、猿環とも呼称されているものであり、中央の保持体６５ａの一端部に第１リング体６５ｂが自由に回転できる態様で連結されると共に、前記保持体６５ａの他端部に第２リング体６５ｃが自由に回転できる態様で連結されてなる（図３参照）。前記より戻し手段６５は、フィルム巻取手段６２と牽引案内手段６４とを互いに自由に回転できる態様で連結するために用いられる。
【００４２】
次に、前記剥離フィルム除去装置６０を用いて既設配管（地面下、床下等に既に設置されている経年既設配管等）９１内の剥離フィルム９２を除去する方法の一例について説明する。
【００４３】
前記既設配管９１は、例えば湯水供給用配管（浴槽への湯水供給用配管等）として用いられていたものであり、該既設配管９１の内面に積層されていた内層フィルム（フッ素樹脂フィルム等）９２が経年により内面から少なくとも部分的に剥離した状態にある（図４参照）。このように既設配管９１の内部に剥離フィルム９２が存在すると、既設配管９１内への新配管９０の挿通操作が妨げられることから、本発明に係る配管内の剥離フィルム除去方法を適用する。
【００４４】
後述する牽引案内手段挿通配置工程に入る前に次のような予備的操作を行っておくのが好ましい。即ち、まず、既設配管９１内の剥離フィルム９２の内側にエアホースを挿通して該エアホースの先端から空気を送出（送流）することによって、既設配管９１の内部に溜まっている水を除去する。
【００４５】
次に、図５（ａ）に示すように、既設配管９１の内部空間に該配管９１の一端側から他端側にかけて牽引案内手段６４を挿通配置する（牽引案内手段挿通配置工程）。この時、既設配管９１の内部を内視鏡で確認しながら既設配管９１の内部に牽引案内手段６４を挿通せしめるのがよい。即ち、牽引案内手段６４が既設配管９１内の剥離フィルム９２の内側（内側の空間）に挿通されているかを内視鏡で確認しながら牽引案内手段６４の挿通配置を行うのがよい。
【００４６】
次いで、牽引案内手段６４の一端の連結部７０をフィルム巻取手段６２の連結部６６ｃに連結する（連結工程）。即ち、図５（ｂ）に示すように、より戻し手段（猿環）６５の第１リング体６５ｂに針金７２の一端を挿通して折り返すと共に、フィルム巻取手段６２の連結用孔６６ｃに前記針金７２の他端を挿通して折り返した後、針金７２の両端同士をよじり合わせ、更により戻し手段（猿環）６５の第２リング体６５ｃに他の針金７３の一端を挿通して折り返すと共に、牽引案内手段６４の連結部７０の連結用孔に前記針金７３の他端を挿通して折り返した後、針金７３の両端同士をよじり合わせることによって、牽引案内手段６４とフィルム巻取手段６２とを連結する。なお、図５（ｂ）に示すように、よじり合わせた針金７２、７３の先端を既設配管９１とは反対側に（フィルム巻取手段６２側に）向けて倒しておくのが好ましい。また、針金の両端同士のよじり合わせは、図５（ｂ）に示すように、複数周（例えば６周）とするのが好ましい。
【００４７】
なお、前記実施形態では、牽引案内手段挿通配置工程を実施した後に連結工程を実施しているが、特にこの順序に限定されるものではなく、連結工程を実施した後に牽引案内手段挿通配置工程を実施するようにしてもよい。
【００４８】
次に、図５（ｃ）に示すように、牽引案内手段６４の他端部７１を既設配管９１から離れる方向に牽引することにより、既設配管９１内にフィルム巻取手段６２を挿通前進させる（前進工程）。
【００４９】
このように既設配管９１内にフィルム巻取手段６２を挿通前進させている際に、牽引案内手段６４を牽引するのに抵抗を感じた時にその位置で牽引を停止する（図５（ｄ）参照）（停止工程）。
【００５０】
次いで、図６（ａ）に示すように、回転駆動手段６１を駆動させて回転軸６３（の回転）を介してフィルム巻取手段６２を回転させることによって、該巻取手段６２に、既設配管９１内の剥離フィルム９２の一部を巻き付ける（巻付工程）。
【００５１】
しかる後、図６（ｂ）に示すように、回転軸６３を既設配管９１から離れる方向に後退させる（例えば回転軸６３を手で持って引っ張って後退させる）ことによって、既設配管９１内において、フィルム巻取手段６２に巻き付けた剥離フィルム９２を切断分離し、次いで既設配管９１の外部において、該フィルム巻取手段６２から、巻き付いている状態の剥離フィルムを除去する（図６（ｃ）参照）（分離除去工程）。
【００５２】
こうして既設配管９１内の剥離フィルム９２の一端側の一部を分離除去することができる。
【００５３】
図６（ｃ）に示すように、既設配管９１の内部には剥離フィルム９２が残存しているので、この状態から、前記前進工程、前記停止工程、前記巻付工程、前記分離除去工程からなる単位操作をさらに１ないし複数回繰り返し行うことによって、既設配管９１内の剥離フィルム９２を全て除去する。
【００５４】
次いで、既設配管９１内に内視鏡を挿通して既設配管９１内の剥離フィルム９２が除去された状態を確認する。部分的に剥離フィルム９２が除去されずに残っていた場合には、該残存剥離フィルム９２に対して前記前進工程、前記停止工程、前記巻付工程、前記分離除去工程からなる単位操作を再度実施することによって残存剥離フィルム９２を除去する。或いはエアブロー（空気送流）や高圧洗浄機による送水等により残存剥離フィルム９２を除去してもよい。
【００５５】
なお、前記実施形態では、剥離フィルム除去装置６０としては、牽引案内手段６４を備えた構成を採用しているが、特にこのような構成に限定されるものではなく、牽引案内手段６４を有しない構成を採用することもできる。この場合には、本発明の剥離フィルム除去方法の前進工程において、回転軸を配管９１に近づく方向に前進させることで配管９１内にフィルム巻取手段６２を挿通前進させればよい。即ち、前項で記載した［８］の発明に係る配管内の剥離フィルム除去方法を採用すればよい。但し、回転軸を配管９１に近づく方向に前進させても配管９１内にフィルム巻取手段６２を挿通前進させるのが容易でない場合には、前記実施形態に係る剥離フィルム除去装置（牽引案内手段を備えた装置）６０を用いて配管内の剥離フィルムを除去するのが好ましい。
【００５６】
次に、内部の剥離フィルム９２が除去された前記既設配管９１内に新配管９０を配設する方法について説明する。
【００５７】
まず、新配管９０を既設配管９１内に配設するのに使用する配管牽引用治具１について説明する。
【００５８】
配管牽引用治具１は、連結手段４と、円筒状のスリーブ３と、長尺の牽引案内手段２と、を備えてなる。前記連結手段４の一実施形態を図７（ａ）に示し、前記スリーブ３の一実施形態を図７（ｂ）に示し、前記牽引案内手段２の一実施形態を図８に示す。
【００５９】
前記スリーブ３は、設置対象の新配管９０の端部に外嵌されて使用される。前記スリーブ３の素材としては、例えば金属等の硬質材料が挙げられる。
【００６０】
前記スリーブ３の外径は、前記設置対象の新配管９０の外径と同一に設定されている。なお、前記スリーブ３の外径は、前記設置対象の新配管９０の外径より小さいものとなされていてもよい。この場合、前記スリーブ３の外径は、前記設置対象の新配管９０の外径の８０％以上１００％未満に設定されているのが好ましい。
【００６１】
前記連結手段４は、前記新配管９０の端部と前記牽引案内手段２の端部とを連結するのに用いられる。前記連結手段４の素材としては、例えば金属等の硬質材料が挙げられる。前記連結手段４は、一端側に前記新配管９０の端部の内部空間に挿入嵌合される挿嵌部１２を備え、他端側に前記牽引案内手段２に連結するための連結部１３を備える。
【００６２】
本実施形態では、前記連結手段４は、前記挿嵌部１２及び前記連結部１３に加えて略円盤状板部１１を備えている。即ち、本実施形態では、前記連結手段４は、図７（ａ）に示すように、略円盤状板部１１の一方の面に前記挿嵌部１２が突設され、該略円盤状板部１１の他方の面に前記連結部１３が突設されてなる。
【００６３】
前記挿嵌部１２は、軸体１５の外周面にねじ山１６が形成されてなる。前記連結部１３に連結用孔が設けられている。前記挿嵌部１２及び前記連結部１３は、いずれも設置対象の新配管９０の外径より小さい。また、前記挿嵌部１２及び前記連結部１３は、いずれもスリーブ３の外径より小さいのが好ましい。
【００６４】
前記略円盤状板部１１の周側面は、前記挿嵌部１２が設けられた側から前記連結部１３が設けられた側に向けて内向きに傾斜した傾斜面に形成されている。また、前記傾斜面は外方に向けて膨らむ曲面に形成されている。前記略円盤状板部１１の外径は、前記スリーブ３の外径と同一である。即ち、前記略円盤状板部１１の挿嵌部１２が設けられた一方の面の外径は、前記スリーブ３の外径と同一である。前記挿嵌部１２及び前記連結部１３は、前記略円盤状板部１１の外径より小さい。
【００６５】
前記牽引案内手段２としては、既設配管内に容易に挿通できる可撓性の細線体であれば特に限定されず、例えば金属ワイヤー等のワイヤーを例示できる。本実施形態では、前記牽引案内手段２として、金属ワイヤーが用いられている（図８参照）。前記金属ワイヤーは、樹脂製の被覆材で被覆されていてもよいし、被覆材で被覆されていない構成であってもよい。
【００６６】
前記牽引案内手段２の一端部に、連結用孔を有した連結部５０が形成されている。この連結部５０は、前記連結手段４と連結するのに用いられる。
【００６７】
次に、前記配管牽引用治具１を用いて新配管（設置対象の配管）９０を既設配管（地面下、床下等に既に設置されている経年既設配管等）９１内に配設する方法の一例について説明する。
【００６８】
設置対象の新配管９０は、例えば湯水供給用配管（浴槽への湯水供給用配管等）として用いられるものであり、前記既設配管９１の内部に挿通配置されて使用される。例えば、前記既設配管が経年劣化等した際に本配設方法を適用することができる。
【００６９】
前記新配管９０の外径は、通常は、既設配管９１の内径より小さいが該内径に近似した大きさに設定される。中でも、前記新配管９０の外径は、既設配管９１の内径より１ｍｍ〜２ｍｍ小さい大きさに設定されるのが好ましい。この場合には、より大きな流量を確保できる。
【００７０】
図９（ａ）に示すように、新配管９０の一端部に該新配管９０の略軸線方向に沿って切り込み３１を形成する。この切り込み３１の長さは、前記スリーブ３の長さ（軸線方向の長さ）よりも大きくする。中でも、前記切り込み３１の長さは、前記スリーブ３の長さ（軸線方向の長さ）よりも１〜２０ｍｍ長くするのが好ましい。なお、前記新配管９０としては、通常は、可撓性を有する配管が用いられる。前記可撓性を有する配管としては、特に限定されるものではないが、例えばフッ素系樹脂製配管等を例示できる。
【００７１】
しかる後、図９（ｂ）に示すように、切り込み３１を利用して新配管９０の一端部において管壁に重なり部３２を形成せしめることによって、新配管９０の一端部の外径を縮径させた状態にする（新配管９０の一端部の外径を新配管９０の他端部の外径よりも縮径させた状態にする）。前記重なり部３２は、例えば、新配管９０の一端部（切り込み３１が形成された端部）を人の手の指で強く挟み込むことによって形成させることができる。
【００７２】
次いで、図９（ｃ）（ｄ）に示すように、新配管９０の縮径状態にある一端部の外周面に、スリーブ３を外嵌する。この時、新配管９０の先端面とスリーブ３の先端面を略一致させるのが好ましい。
【００７３】
次に、図１０（ａ）に示すように、新配管９０におけるスリーブ３が外嵌された一端部の内部に、連結手段４の挿嵌部１２を挿入して螺合していく。
【００７４】
前記挿嵌部１２の挿入螺合を更に進めることによって、図１０（ｂ）に示すように、新配管９０におけるスリーブ３が外嵌された一端部の内部に連結手段４の挿嵌部１２を挿入嵌合して、スリーブ３の先端面全体を連結手段４の略円盤状板部１１で覆う。この時、連結手段４の略円盤状板部１１の周縁部がスリーブ３の先端に当接するように（図１０（ｂ）参照）又は近接するように挿入嵌合するのが好ましい。
【００７５】
このように新配管９０におけるスリーブ（新配管の外径と同一の又は該新配管の外径より小さい外径を有したスリーブ）３が外嵌された一端部の内部に連結手段４の挿嵌部１２を挿入嵌合するので、新配管９０が径大に変形膨張することを防止できると共に新配管９０と連結手段４とを強固に連結できる。
【００７６】
次に、既設配管の内部空間に該既設配管の一端側から他端側にかけて牽引案内手段２を挿通配置する。なお、この牽引案内手段２の挿通配置の前に、既設配管の内面にシリコーンオイル等の潤滑剤を塗布しておくのがよい。例えばシリコーンオイル塗布用ホースをその先端からシリコーンオイルを放出させながら既設配管の内部を一端側から他端側にかけて挿通させることによってシリコーンオイルを塗布することができる。
【００７７】
次いで、図１０（ｃ）に示すように、牽引案内手段２（既設配管の内部に挿通配置した状態にある牽引案内手段２）の一端の連結部５０を連結手段４の連結部１３に連結する。即ち、連結手段４の連結部１３の連結用孔に針金４０の一端を挿通して折り返すと共に、牽引案内手段２の連結部５０の連結用孔に前記針金４０の他端を挿通して折り返すことによって、連結手段４と牽引案内手段２とを連結する。
【００７８】
しかる後、既設配管の他端開口部から出ている牽引案内手段２の他端部５１を既設配管から離れる方向に牽引することにより、既設配管９１の内部に新配管９０をスムーズに引き込んで既設配管９１内に新配管９０を挿通配置せしめることができる。
【００７９】
上記実施形態では、スリーブ３の先端面全体を連結手段４の略円盤状板部１１で適合状態に覆った状態になっているから、既設配管内に新配管９０を引き込んで該新配管９０が既設配管の曲がり部を通過する際にスリーブ３の先端周縁が該曲がり部の内周面に引っ掛かることを十分に防止できて既設配管内に新配管９０をよりスムーズに挿通させることができると共に、既設配管内に新配管９０を引き込み挿通している時に新配管９０の内部に異物等が侵入するのを十分に防止できる。
【００８０】
上記実施形態では、連結手段４は、挿嵌部１２、連結部１３及び略円盤状板部１１を備えた構成が採用されているが、特にこのような構成に限定されるものではなく、例えば図１１（ａ）に示すような構成を採用することもできる。
【００８１】
図１１（ａ）に示す連結手段４は、挿嵌部２２及び連結部２３を備えた構成である。即ち、この連結手段４は、軸体２５の外周面にねじ山２６が形成されてなる挿嵌部２２と、該挿嵌部２２の基端に連接された連結部２３とを備える。前記連結部２３に連結用孔が設けられている。この連結手段４の挿嵌部２２を、新配管９０における前記スリーブ３が外嵌された一端部の内部に挿入嵌合した状態を図１１（ｂ）に示す。
【００８２】
また、上記実施形態では、連結手段４の挿嵌部１２に形成されたねじ山１６、２６は、１重（１条）に構成されているが（図７（ａ）、図１１（ａ）参照）、特にこのような構成に限定されるものではなく、例えば２重（２条）に構成されていてもよい。
【００８３】
また、上記実施形態では、連結手段４における挿嵌部１２は、軸体１５の外周面にねじ山１６が形成されてなる構成であるが、前記挿嵌部は、特にこのような螺合しうる構成に限定されるものではない。例えば図１２に示すように、連結手段４の挿嵌部３４として、軸体３５の外周面に１ないし複数本の突条３６が設けられた構成を採用してもよい。この場合には、新配管９０における前記スリーブ３が外嵌された一端部の内部空間に、該連結手段４の挿嵌部３４の突条３６をハンマー等を用いた叩き込みによって挿入嵌合すればよい。なお、図１２において、３３は、連結部（牽引案内手段２に連結するための連結部）である。
【００８４】
なお、上記剥離フィルム除去方法は、その例を説明したものに過ぎず、本発明に係る配管内の剥離フィルム除去方法は、上記手法に特に限定されるものではない。また、上記配設方法は、その例を説明したものに過ぎず、本発明に係る新配管を既設配管内に配設する方法は、上記手法に特に限定されるものではない。
【産業上の利用可能性】
【００８５】
本発明に係る剥離フィルム除去装置は、経年既設配管内の剥離内層フィルムを除去するのに好適に用いられるが、特にこのような用途に限定されるものではない。また、本発明に係る剥離フィルム除去方法は、経年既設配管内の剥離内層フィルムを除去するのに好適に用いられるが、特にこのような用途に限定されるものではない。
【符号の説明】
【００８６】
１…配管牽引用治具
２…牽引案内手段
３…スリーブ
４…連結手段
１１…略円盤状板部
１２、２２、３４…挿嵌部
１３、２３、３３…連結部
１５、２５…軸体
１６、２６…ねじ山
３１…切り込み
５０…連結部（牽引案内手段）
５１…他端部（牽引案内手段）
６０…配管内の剥離フィルム除去装置
６１…回転駆動手段
６２…フィルム巻取手段
６３…回転軸
６４…牽引案内手段
６５…より戻し手段
６６…略板状体
６６ａ…テーパー側面
６６ｂ…テーパー側面
６６ｃ…連結用孔（連結部）
７０…連結部（牽引案内手段）
７１…他端部（牽引案内手段）
９０…新配管
９１…既設配管
９２…剥離フィルム
【図１】
2012237361.tif 000003
【図２】
2012237361.tif 000004
【図３】
2012237361.tif 000005
【図４】
2012237361.tif 000006
【図５】
2012237361.tif 000007
【図６】
2012237361.tif 000008
【図７】
2012237361.tif 000009
【図８】
2012237361.tif 000010
【図９】
2012237361.tif 000011
【図１０】
2012237361.tif 000012
【図１１】
2012237361.tif 000013
【図１２】
2012237361.tif 000014